(57)【特許請求の範囲】
【請求項１】
基材の一方の面に粘着面が形成された粘着テープを巻回してなる粘着テープロールであって、
前記粘着テープには、前記基材を貫通する切れ目と、隣接する前記切れ目の間に残された未切断部とを交互に有し、かつ、前記粘着テープの長手方向に対する傾斜方向に沿って形成されたミシン目が、前記傾斜方向と直交する方向に一定の間隔をあけて平行に複数形成され、
前記複数のミシン目のうち、隣接するミシン目の隣接する切れ目同士が、前記粘着テープの幅方向に整列していることを特徴とする粘着テープロール。
【請求項２】
前記傾斜方向が前記長手方向となす角度は、５〜８５度であることを特徴とする請求項１に記載の粘着テープロール。
【請求項３】
前記切れ目は第１の長さを有し、前記未切断部は、前記第１の長さよりも長い第２の長さを有することを特徴とする請求項１または２に記載の粘着テープロール。
【請求項４】
前記粘着テープの基材は一軸延伸または二軸延伸フィルムであり、当該一軸延伸フィルムの延伸方向または前記二軸延伸フィルムの一延伸方向が前記粘着テープの長手方向に沿っていることを特徴とする請求項１〜３のいずれか１項に記載の粘着テープロール。
【請求項５】
基材の一方の面に粘着面が形成された粘着テープを巻回してなる粘着テープロールの製造方法であって、
前記粘着テープに、前記基材を貫通する切れ目と、隣接する前記切れ目の間に残された未切断部とを交互に有し、かつ、前記粘着テープの長手方向に対する傾斜方向に沿って形成されたミシン目を、前記傾斜方向と直交する方向に一定の間隔をあけて平行に複数形成する工程を有し、
前記複数のミシン目のうち、隣接するミシン目の隣接する切れ目同士が、前記粘着テープの幅方向に整列していることを特徴とする粘着テープロールの製造方法。
【発明の詳細な説明】
【技術分野】
【０００１】
本発明は粘着テープロールに関し、より詳しくは、粘着テープを引き出したときに当該粘着テープを指で容易かつ綺麗に切断することができる粘着テープロールに関する。
【背景技術】
【０００２】
従来、セロハンフィルムの片面に粘着剤を塗布したものを帯状に構成し、接着剤を塗布したこの帯状フィルムをロール状に巻回してなるセロハンテープロール（一般に、セロハンテープと称される）がある。セロハンテープは、安価でしかも紙などの多様なものに接着できるため、多くの場面で使用されている。しかしながら、セロハンは経時変化により劣化しやすいため、セロハンテープは長期間の接着には不向きである。また、テープカッターが装着されていない場合や鋏などの切断具が近くにない場合には、指でセロハンテープを切断する必要がある。しかしながら、指で切断しようとすると、セロハンテープが伸びてしまったり、或いはセロハンテープに皺ができてしまい、セロハンテープを綺麗かつ速やかに切断できないというという問題があった。
【０００３】
特許文献１には、テープ基材の幅方向中央部に、長手方向に沿って所要長さのスリットを断続的に配列してなる結束用粘着テープロールが開示されている。ユーザは、この結束用テープロールから結束用テープを引き出し、引き出した結束用テープを所望長さに切断し、切断した結束用テープをネギの結束に使用する。この結束用テープでネギを結束した後、ネギの束と結束用テープの隙間に臨むスリットを人差し指の腹で押圧することにより、スリットの一端部および他端部から結束用テープが幅方向に断裂する。結束用テープが断裂することにより、ネギの結束が解かれる。
【０００４】
しかしながら、この結束用テープロールにおいては、当該ロールから引き出された結束用テープを指で所望長さに切断するための工夫はなされていない。よって、この結束用テープロールから引き出された結束用テープを所望の長さに切断するためには、鋏などの切断具が必要である。また、引き出された結束用テープを指で切断しようとすると、切断部の形が歪な形となる。歪な形となった切断部（端部）を結束用テープロールの表面に戻した後、当該切断部を結束用テープロールから引き剥がそうとすると、切断部が歪な形であるために、結束用テープがロールの表面からうまく剥がれず、速やか且つ綺麗に結束用テープを引き出すことができないという問題がある。
【先行技術文献】
【特許文献】
【０００５】
【特許文献１】特開２００５−１７８８９３号公報
【発明の概要】
【発明が解決しようとする課題】
【０００６】
本発明は、このような実情に鑑みてなされたもので、粘着テープを引き出したときに当該粘着テープを指で容易かつ綺麗に切断することができる粘着テープロールの提供を目的とする。
【課題を解決するための手段】
【０００７】
第１の発明は、
基材の一方の面に粘着面が形成された粘着テープを巻回してなる粘着テープロールであって、
上記粘着テープには、上記基材を貫通する切れ目と、隣接する上記切れ目の間に残された未切断部とを交互に有し、かつ、上記粘着テープの長手方向に対する傾斜方向に沿って形成されたミシン目が、上記傾斜方向と直交する方向に一定の間隔をあけて平行に複数形成され、上記複数のミシン目のうち、隣接するミシン目の隣接する切れ目同士が、上記粘着テープの幅方向に整列していることを特徴とする。
【０００８】
第１の発明における「傾斜方向」には、長手方向と平行な方向および直角な方向は含まれない。
第１の発明によれば、粘着テープには、その長手方向に対する傾斜方向に沿って手切り切断用のミシン目が形成されているので、粘着テープを引き出したときに当該粘着テープを指で容易かつ綺麗に切断することができる。粘着テープに幅方向に沿ったミシン目を形成した場合、長手方向への引張り強度が極端に小さくなり、粘着テープをロールから勢いよく引き出すと粘着テープが切れてしまったり、粘着テープを貼った後に少しの力で粘着テープが切れてしまう可能性がある。一般に、粘着テープで２つの物（例えば紙）を結合する際、人の習性として、当該物の端縁に対して粘着テープの長手方向が直角または平行になるように粘着テープを貼り付ける傾向がある。粘着テープに幅方向に沿ったミシン目を形成し、物の端縁に対して粘着テープの長手方向が直角になるように当該粘着テープを貼り付けた場合、テープの幅方向全体においてミシン目と物の端縁の位置が一致し、ミシン目に集中応力が加わり、テープが破断してしまう可能性がある。また、粘着テープに長手方向に沿ったミシン目を形成した場合、長手方向への引張り強度が極端に大きくなり、ロールから引き出した粘着テープを指で切断することが困難となる。また、粘着テープに長手方向に沿ったミシン目を形成し、物の端縁に対して粘着テープの長手方向が平行になるように当該粘着テープを貼り付けた場合、テープの長手方向全体においてミシン目と物の端縁の位置が一致し、ミシン目に集中応力が加わり、テープが破断してしまう可能性がある。これに対し、粘着テープに傾斜方向に沿ったミシン目を形成した場合、粘着テープをロールから勢いよく引き出しても切れることがなく、粘着テープを貼った後も切れにくくなり、しかも、ロールから引き出した粘着テープを指で容易に切断することができる。
【００１０】
また、第１の発明によれば、貫通する切れ目を断続的に形成することによって、指による切断容易性を高めることができる。
【００１２】
また、第１の発明によれば、粘着テープをロールから引き出した状態で、テープを任意の位置で切断することができる。
【００１３】
第２の発明は、第１の発明において、
上記傾斜方向が上記長手方向となす角度は、５〜８５度であることを特徴とする。
【００１４】
第２の発明によれば、第１の発明の効果をより確実に奏することができる。
【００１７】
第３の発明は、第１の発明または第２の発明において、
上記切れ目は第１の長さを有し、上記未切断部は、上記第１の長さよりも長い第２の長さを有することを特徴とする。
【００１８】
未切断部を切れ目よりも長くすることで、未切断部を切れ目より短くした場合よりも、ミシン目の引張強度が大きくなる。これにより、粘着テープをロールから勢いよく引き出した時に当該粘着テープが切れる可能性、粘着テープを貼った後に当該粘着テープが切れる可能性を一層低減することができる。
【００１９】
第４の発明は、第１の発明乃至第３の発明において、
上記粘着テープの基材は一軸延伸または二軸延伸フィルムであり、当該一軸延伸フィルムの延伸方向または上記二軸延伸フィルムの一延伸方向が上記粘着テープの長手方向に沿っていることを特徴とする。
【００２０】
第４の発明によれば、粘着テープの延伸方向が当該粘着テープの長手方向に沿っているので、粘着テープをロールから勢いよく引き出した時に当該粘着テープが切れる可能性、粘着テープを貼った後に当該粘着テープが切れる可能性を一層低減することができる。
【００２１】
第５の発明は、
基材の一方の面に粘着面が形成された粘着テープを巻回してなる粘着テープロールの製造方法であって、
上記粘着テープに、上記基材を貫通する切れ目と、隣接する上記切れ目の間に残された未切断部とを交互に有し、かつ、上記粘着テープの長手方向に対する傾斜方向に沿って形成されたミシン目を、上記傾斜方向と直交する方向に一定の間隔をあけて平行に複数形成する工程を有し、上記複数のミシン目のうち、隣接するミシン目の隣接する切れ目同士が、上記粘着テープの幅方向に整列していることを特徴とする粘着テープロールの製造方法である。
【００２２】
第５の発明によれば、第１の発明に係る粘着テープロールを製造することができる。
【発明の効果】
【００２３】
本発明によれば、粘着テープを引き出したときに当該粘着テープを指で容易かつ綺麗に切断することができる粘着テープロールを提供することができる。
【図面の簡単な説明】
【００２４】
【図１】本発明に係る粘着テープロールを示す図
【図２】（Ａ）図１に示される粘着テープを拡大して示す図、（Ｂ）ミシン目を拡大して示す図
【図３】人が粘着テープを貼るときの習性を示す図
【図４】人が粘着テープを貼るときの習性を示す図
【図５】粘着テープに幅方向に沿ったミシン目を形成した場合の、当該粘着テープの使用例を示す図
【図６】粘着テープに長手方向に沿ったミシン目を形成した場合の、当該粘着テープの使用例を示す図
【図７】本発明に係る粘着テープの使用例を示す図
【図８】本発明に係る粘着テープの使用例を示す図
【図９】粘着テープを引張試験機のクランプ部にクランプさせた状態を示す図
【図１０】引張強度時試験の試験結果を数値で示す図
【図１１】図１０に示される試験結果をグラフで表した図
【図１２】手切れ性試験の試験結果を示す図
【発明を実施するための形態】
【００２５】
（実施形態）
本発明の実施形態について図面を参照しつつ説明する。図１は、本発明に係る粘着テープロールを示す図である。図２は、図１に示される粘着テープのミシン目を拡大して示す図である。
【００２６】
本実施形態に係る粘着テープロール１は、一方の面に粘着面２が形成された粘着テープ３を巻回することにより構成される。粘着テープ３は、合成樹脂フィルムからなる基材と、この基材の裏面に設けられた粘着剤層とを備え、この粘着剤層が粘着面２を構成している。
【００２７】
粘着テープ３には、その長手方向Ｈ１に対する傾斜方向Ｈ２に沿って手切り切断用のミシン目４が形成されている。図２に示されるように、ミシン目４は、基材を貫通する切れ目５と、隣接する切れ目５の間に残された未切断部６とを交互に有する。粘着テープ３においては、ミシン目４の列が、長手方向Ｈ１に微小間隔をおいて互いに平行に多数形成されている。ここで言う微小間隔の値は特に限定されないが、ユーザが、あたかも粘着テープ３をその長手方向の任意の位置で切断できると感じる程度の間隔であることが好ましい。そのような間隔として、例えば、２ｍｍに設定することができる。
【００２８】
切れ目５は微小な第１の長さＬ１を有し、未切断部６は、第１の長さＬ１よりも長い第２の長さＬ２を有する。Ｌ１、Ｌ２の値は特に限定されるものではないが、例えば、Ｌ１を０．０５〜１．０ｍｍの間で設定することが好ましく、より好ましくは０．０８〜０．７５ｍｍ、さらに好ましくは０．１〜０．５ｍｍの間で設定される。代表的な例として、例えば、Ｌ１を０．２ｍｍ、Ｌ２を２ｍｍに設定することができる。切れ目５の存在密度は特に限定されないが、例えば、縦２０ｍｍ、横２０ｍｍとする４００ｍｍ2のテープ面積中、１００個程度の切れ目５を形成することが好ましい。
【００２９】
粘着テープ３の基材は、セロハンよりも引張強度（破断強度）が大きい素材から構成され、例えば、一軸延伸ポリプロピレンまたは二軸延伸ポリプロピレン（以下、ＯＰＰと称する）のフィルムであり、一軸延伸ポリプロピレンフィルムの延伸方向または二軸延伸ポリプロピレンフィルムの一延伸方向が粘着テープ３の長手方向に沿っている。なお、粘着テープ３の基材の材質は上記の例に限定されず、例えば、ポリエチレンテレフタレート（以下、ＰＥＴと称する）から構成することも可能である。
【００３０】
また、粘着テープ３の基材は、セロハンテープよりも長手方向への引張強度が高く、かつ、セロハンテープよりも経時低変質性の素材から構成されている。傾斜方向Ｈ２が長手方向Ｈ１となす角度は、粘着テープ３のミシン目４がミシン目の無いセロハンテープと同程度の引張強度および同程度の手切れ性を有する値に設定されている。例えば、傾斜方向Ｈ２が長手方向Ｈ１となす角度は、４５〜７８．７５度である。
【００３１】
次に、粘着テープロール１の使用方法について説明する。
まず、粘着テープロール１の表面から粘着テープ３を引き出す。次いで、引き出した粘着テープ３の一方の側縁部を両手の指で持ち、その指で粘着テープ３にせん断力を与える。そのせん断力により、粘着テープ３はミシン目４を境として切断される。これにより、所望長さの粘着テープ３を得ることができる。切断して得た所望長さの粘着テープ３は、適所に貼り付けられ、例えば図画工作等に使用することができる。
【００３２】
粘着テープロール１によれば、粘着テープ３には、その長手方向Ｈ１に対する傾斜方向Ｈ２に沿って手切り切断用のミシン目４が形成されているので、粘着テープ３をロール１から引き出したときに当該粘着テープ３を指で容易かつ綺麗に（直線状に）切断することができる。粘着テープ３に幅方向に沿ったミシン目４を形成した場合、長手方向Ｈ１への引張り強度が極端に小さくなり、粘着テープ３をロール１から勢いよく引き出すと粘着テープ３が切れてしまったり、粘着テープ３を貼った後に少しの力で粘着テープ３が切れてしまったりする可能性がある。
【００３３】
一般に、粘着テープ１００で２つの物（例えば紙）を結合する際、人の習性として、図３、４に示されるように、当該物８の端縁９に対して粘着テープ１００の長手方向が直角または平行になるように粘着テープ１００を貼り付ける傾向がある。図５に示されるように、粘着テープ１０１に幅方向に沿ったミシン目１０２を形成し、物８の端縁９に対して粘着テープ１０１の長手方向が直角になるように当該粘着テープ１０１を貼り付けた場合、ミシン目１０２の方向と物８の端縁９の方向が一致し、ミシン目１０１に集中応力が加わり、テープ１０１が破断してしまう可能性がある。また、粘着テープ３に、長手方向Ｈ１に沿ったミシン目４を形成した場合、長手方向Ｈ１への引張り強度が極端に大きくなり、粘着テープ３をロールから引き出した状態で、指で切断することが困難となる。また、図６に示されるように、粘着テープ１０３に長手方向に沿ったミシン目１０４を形成し、物８の端縁９に対して粘着テープ１０３の長手方向が平行になるように当該粘着テープ１０３を貼り付けた場合、ミシン目１０４の方向と物８の端縁９の方向が一致し、ミシン目１０４に集中応力が加わり、テープ１０３が破断してしまう可能性がある。
【００３４】
これに対し、粘着テープ３に、傾斜方向Ｈ２に沿ったミシン目４を形成した場合、粘着テープ３をロール１から勢いよく引き出しても切れることがない。また、図７、８に示されるように、粘着テープ３のミシン目４の方向と物８の端縁９の方向が一致しにくいので、粘着テープ３を貼った後も切れにくくなる。しかも、粘着テープ３をロール１から引き出した状態で、指で容易に切断することができる。
【００３５】
また、粘着テープロール１によれば、貫通する切れ目５を断続的に形成することによって、指による切断容易性を高めることができる。
【００３６】
また、粘着テープロール１によれば、ミシン目４の列が、微小間隔をおいて多数形成されているので、粘着テープ３をロール１から引き出した状態で、粘着テープ３を任意の位置で切断することができる。
【００３７】
また、粘着テープロール１によれば、未切断部６を切れ目５よりも長くすることで、未切断部６を切れ目５より短くした場合よりも、ミシン目４の引張強度が大きくなる。これにより、粘着テープ３をロール１から勢いよく引き出した時に粘着テープ３が切れる可能性、粘着テープ３を貼った後に当該粘着テープ３が切れる可能性を一層低減することができる。
【００３８】
また、粘着テープロール１によれば、粘着テープ３の延伸方向が当該粘着テープ３の長手方向Ｈ１に沿っているので、粘着テープ３をロール１から勢いよく引き出した時に当該粘着テープ３が切れる可能性、粘着テープ３を貼った後に当該粘着テープ３が切れる可能性を一層低減することができる。
【００３９】
また、粘着テープロール１によれば、粘着テープ３がセロハンテープよりも長手方向への引張強度が高く、かつ、セロハンテープよりも経時低変質性の素材から構成され、傾斜方向Ｈ２が長手方向Ｈ１となす角度を４５〜７８．７５度としたので、セロハンテープと同程度の引張強度および手切れ性を有し、かつ、セロハンテープよりも経時低変質性の粘着テープ３を得ることができる。
【００４０】
次に、粘着テープ３の試験について説明する。
＜引張強度試験＞
まず、ミシン目の傾斜角度が異なる複数の粘着テープを用意し、各粘着テープを図９に示される引張試験機の２つのクランプ部７にクランプさせた。一方のクランプ部７は、粘着テープの長手方向一端側に位置し、他方のクランプ部７は、粘着テープの長手方向他端側に位置し、互いが「ハ」字をなすように配置した。クランプ部７同士がなす角度の初期値は例えば３０度である。２つのクランプ部７は、間隔が小さい側の間隔ｄ１が、間隔が大きい側の間隔ｄ２に等しくなるまで向きを変えて行く。つまり、２つのクランプ部７は、互いが平行になるまで向きを変えて行く（矢印の向きに変位する）。これにより、粘着テープの間隔ｄ１に大きな引張応力が発生し、許容引張応力を超えた時点で粘着テープは間隔ｄ１側から破断する。なお、クランプ部７の引張りにより発生する応力は、人が指で切断する際に発生するせん断応力に近い値である。
【００４１】
ミシン目の傾斜角度は、粘着テープの長手方向に対してミシン目がなす角度である。傾斜角度が、（１）９０．００度、（２）７８．７５度、（３）６７．５０度、（４）５６．２５度、（５）４５．００度、（６）３３．７５度、（７）２２．５０度、（８）１１．２５度、（９）０．００度、に設定された粘着テープについてそれぞれ３回ずつ試験を行い、破断強度の３回分の平均値を算出した。なお、（１）はミシン目が粘着テープの幅方向に沿って形成されていることを意味し、（９）はミシン目が粘着テープの長手方向に沿って形成されていることを意味する。
【００４２】
なお、粘着テープの基材の材質または切れ目の状態が異なるものを以下の３種類用意し、それぞれについて上記（１）〜（９）の角度変更を行って実験した。１種類目は、（ａ）材質がＯＰＰであって幅方向両端部に切れ目が無いもの、２種類目は、（ｂ）材質がＯＰＰであって幅方向両端部に切れ目があるもの、３種類目は、（ｃ）材質がＰＥＴであって幅方向両端部に切れ目があるものであった。試験結果を図１０、１１に示す。図１０は、試験結果を数値で示す図である。図１１は、図１０に示される数値をグラフで表した図である。図１０には、セロハンテープについての試験結果も掲載した。図１１には、セロハンテープの試験結果である引張強度の最大値と最小値の間の領域を横長長方形で併せて示した。図１１において、実線のグラフは上記（ａ）の条件、一点鎖線のグラフは上記（ｂ）の条件、破線のグラフは上記（ｃ）の条件に対応する。
【００４３】
（試験結果）
図１０、１１からわかるように、ミシン目の傾斜角度が小さくなるにつれて、つまりミシン目の方向が粘着テープの長手方向に近づくにつれて、次第に破断に要する引張力が大きくなることがわかる。上記引張強度が小さいほど手切れ性が良くなる反面、長手方向の引張りに弱くなるので、適切な角度設定が必要となる。図１１からわかるように、セロハンテープと同程度の引張強度（破断強度）を有するためには、上記（ａ）の条件では、例えば、９０度＞傾斜角度≧２３度が好ましく、上記（ｂ）の条件では、例えば、９０度＞傾斜角度≧３９度が好ましく、上記（ｃ）の条件では、例えば、９０度＞傾斜角度≧４５度が好ましい。
【００４４】
次に、粘着テープ３の手切れ性試験について説明する。
＜手切れ性試験＞
本発明に係る粘着テープ３（実施例）の手切れ性と、比較例の手切れ性について感応試験を行った。具体的には、以下の実施例１〜４、比較例１〜３に係る粘着テープロールを２０個用意し、各粘着テープロールから粘着テープを引き出し、引き出された粘着テープを指で幅方向に切断する動作を行い、切断のし易さについて試験した。
【００４５】
（実施例１）
実施例１に係る粘着テープロールの粘着テープは、２軸延伸ポリプロピレン（ＯＰＰ）フィルム製であり、幅２０ｍｍ、厚さ４０μｍ、幅方向両端部（各端部幅１〜１．５ｍｍ）に切れ目５無し、長手方向Ｈ１に対してミシン目４がなす角度５６．２５度、ミシン目４の切れ目５の長さ０．２ｍｍ、未切断部６の長さ２ｍｍであった。
【００４６】
（実施例２）
実施例２に係る粘着テープロールの粘着テープは、ＯＰＰ製であり、幅２０ｍｍ、厚さ４０μｍ、幅方向両端部（各端部幅１〜１．５ｍｍ）に切れ目５無し、長手方向Ｈ１に対してミシン目４がなす角度４５度、ミシン目４の切れ目５の長さ０．２ｍｍ、未切断部６の長さ２ｍｍであった。
【００４７】
（実施例３）
実施例３に係る粘着テープロールの粘着テープは、ＯＰＰ製であり、幅２０ｍｍ、厚さ４０μｍ、幅方向両端部（各端部幅１〜１．５ｍｍ）に切れ目５無し、長手方向Ｈ１に対してミシン目４がなす角度２２．５度、ミシン目４の切れ目５の長さ０．２ｍｍ、未切断部６の長さ２ｍｍであった。
【００４８】
（実施例４）
実施例４に係る粘着テープロールの粘着テープは、ＯＰＰ製であり、幅２０ｍｍ、厚さ４０μｍ、幅方向両端部に切れ目５有り、長手方向Ｈ１に対してミシン目４がなす角度１５度、ミシン目４の切れ目５の長さ０．２ｍｍ、未切断部６の長さ２ｍｍであった。
【００４９】
（比較例１）
比較例１に係る粘着テープロールの粘着テープは、セロハン製であり、幅２０ｍｍ、フィルム厚さ３６μｍ、ミシン目無しであった。
【００５０】
（比較例２）
比較例２に係る粘着テープロールの粘着テープは、ポリエチレンテレフタレート（以下、ＰＥＴと称する）製であり、幅２０ｍｍ、フィルム厚さ２５μｍ、ミシン目無しであった。
【００５１】
（比較例３）
比較例３に係る粘着テープロールの粘着テープは、ＯＰＰ製であり、幅２０ｍｍ、フィルム厚さ４０μｍ、ミシン目無し、幅方向両端部（各端部幅５ｍｍ）にランダムに多数の穴明けをしたものであった。
【００５２】
（試験結果）
図１２に試験結果を示す。図１２に示されるように、実施例１〜４に係る粘着テープは、いずれも、２０回すべて問題なく容易に切断することができた。また、いずれの粘着テープもミシン目で切断されるので、切断部は直線状であった。このため、引き出された粘着テープをロール表面に戻しても、粘着テープを剥がして再度引き出すことは容易であった。
【００５３】
これに対し、比較例１に係る粘着テープは、長手方向に近い予期しない角度で歪な形で切れること（斜め切れ）が多かった。このため、引き出された粘着テープをロール表面に戻し、粘着テープを剥がして再度引き出すことが容易ではなかった。また、比較例２に係る粘着テープは、２０回すべて切断することができなかった。無理に切とうとすると粘着テープが大きく伸びてしまった。また、比較例３に係る粘着テープは、最初に力を加えたときに切れない場合があり、その場合は力を加える位置を少しずらすと切れた。比較例３に係る粘着テープは、切りにくいという印象であった。
【産業上の利用可能性】
【００５４】
本発明は、粘着テープを引き出したときに当該粘着テープを指で容易かつ綺麗に切断することができる粘着テープロール等に利用可能である。
【符号の説明】
【００５５】
１    粘着テープロール
２    粘着面
３    粘着テープ
４    ミシン目
５    切れ目
６    未切断部
７    クランプ部
Ｈ１    長手方向
Ｈ２    傾斜方向
ｄ１    狭い側の間隔
ｄ２    広い側の間隔
【図１】
0005973179.tif 000002
【図２】
0005973179.tif 000003
【図３】
0005973179.tif 000004
【図４】
0005973179.tif 000005
【図５】
0005973179.tif 000006
【図６】
0005973179.tif 000007
【図７】
0005973179.tif 000008
【図８】
0005973179.tif 000009
【図９】
0005973179.tif 000010
【図１０】
0005973179.tif 000011
【図１１】
0005973179.tif 000012
【図１２】
0005973179.tif 000013